(57)【要約】【課題】再熱除湿は室内機側の熱交換器の一部を凝縮器として用いるため、冷房運転に比べて蒸発器部分が少なく、そのため、圧縮機に必要とされる入力が増加してしまう。そこで、従来技術においてはエネルギー消費を抑えるために圧縮機の周波数に制限を設けて、ある一定以上の周波数では運転しないように最大周波数が制御されていた。しかしながら、前記従来の制御では外気温や部屋の大きさによっては顕熱能力が足りず、室温のコントロールが難しいという問題がある。【解決手段】従来省エネルギーのために制限を設けていた圧縮機の最大周波数をユーザーの任意の使用条件に応じて、高くすることで顕熱能力を大きくし、室温のコントロールを容易にすることを可能とした。【選択図】図１
2009058173.tif 000002
【特許請求の範囲】
【請求項１】
圧縮機、第一凝縮器、第二凝縮器、絞り機構、二方弁、蒸発器により構成された再熱除湿回路を備え、再熱除湿運転を行なう空気調和機であって、再熱除湿運転中に遠隔制御装置により温度設定が低めに変更された場合に、前記圧縮機の運転周波数を制御する周波数制御手段により、圧縮機の最大運転周波数を一定量増加することを特徴とした空気調和機。
【請求項２】
外気温度を検出するための外気温度検出手段を具備するとともに、前記外気温度検出手段により外気温度を検出し、その外気温度に応じて前記圧縮機の運転周波数を制御する周波数制御手段により、圧縮機の最大運転周波数を一定量増加することを特徴とした請求項１に記載の空気調和機。
【請求項３】
室内空気の相対湿度を検知するための湿度検知手段を具備するとともに、前記湿度検知手段により相対湿度を検出し、その相対湿度に応じて前記圧縮機の運転周波数を制御する周波数制御手段により、圧縮機の最大運転周波数を一定量増加することを特徴とした請求項１または２に記載の空気調和機。
【請求項４】
再熱除湿運転中に遠隔制御装置により温度設定が低めに変更されてから、計時手段によって計時される時間が所定の時間以上経過した場合には、圧縮機の最大運転周波数を所定値に復帰させることを特徴とする請求項１〜３のいずれか１項に記載の空気調和機。
【発明の詳細な説明】
【技術分野】
【０００１】
本発明は再熱除湿機能を有する空気調和機に関するものである。
【背景技術】
【０００２】
従来、この種の空気調和機は、再熱除湿で室内機側の熱交換器の一部を凝縮器として用いるため、冷房運転に比べて蒸発器部分が少なく、そのため、圧縮機に必要とされる入力が増加してしまう。そこで、従来技術においてはエネルギー消費を抑えるために圧縮機の周波数に制限を設けて、ある一定以上の周波数では運転しないように最大周波数が設けられていた。
【特許文献１】特開２００６−１４５２０４号公報
【発明の開示】
【発明が解決しようとする課題】
【０００３】
しかしながら、前記従来の構成では、室内側の凝縮器と蒸発器の比率によっては、高外気温などの高負荷条件の場合には顕熱能力が足りず、室温のコントロールが難しいという課題を有していた。
【課題を解決するための手段】
【０００４】
前記従来の課題を解決するために、本発明の空気調和機は、再熱除湿運転中に遠隔制御装置により温度設定が低めに変更された場合に、圧縮機の運転周波数を制御する周波数制御手段により、圧縮機の最大運転周波数を一定量増加したものである。
【０００５】
これによって、従来省エネルギーのために制限を設けていた圧縮機の最大周波数をユーザーの設定変更に応じて高くし、運転周波数の幅を広げることで、得られる顕熱能力を大きくし、室温のコントロールを容易にすることを可能とした。
【発明の効果】
【０００６】
本発明の空気調和機は、外気温や部屋の大きさによらず再熱除湿において必要な顕熱能力を確保することができるようになり、室温のコントロールを容易に行うことが可能となる。これにより、ユーザーの任意の使用条件での室温のコントロールが容易となり、快適性の向上が実現できる。
【発明を実施するための最良の形態】
【０００７】
第１の発明は、圧縮機、第一凝縮器、第二凝縮器、絞り機構、二方弁、蒸発器により構成された再熱除湿回路を行う空気調和器において、再熱除湿運転中に遠隔制御装置により温度設定が低めに変更された場合に、前記圧縮機の運転周波数を制御する周波数制御手段により、圧縮機の最大運転周波数を一定量増加することで、顕熱能力を十分確保し、室温のコントロールを容易にすることができる。
【０００８】
第２の発明は、圧縮機、第一凝縮器、第二凝縮器、絞り機構、二方弁、蒸発器、および外気温度を検出するための外気温度検出手段により構成された再熱除湿回路を行う空気調和器において、再熱除湿運転中に遠隔制御装置により温度設定が低めに変更された場合に、前記外気温度検出手段により外気温度を検出し、その外気温度に応じて、前記圧縮機の運転周波数を制御する周波数制御手段により、圧縮機の最大運転周波数を一定量増加することで、顕熱能力を十分確保し、室温のコントロールを容易にすることができる。
【０００９】
第３の発明は、圧縮機、第一凝縮器、第二凝縮器、絞り機構、二方弁、蒸発器、および
室内空気の相対湿度を検知するための湿度検知手段により構成された再熱除湿回路を行う空気調和器において、再熱除湿運転中に遠隔制御装置により温度設定が低めに変更された場合に、前記湿度検出手段により相対湿度を検出し、その相対湿度に応じて、前記圧縮機の運転周波数を制御する周波数制御手段により、圧縮機の最大運転周波数を一定量増加することで、顕熱能力を十分確保し、室温のコントロールを容易にすることができる。
【００１０】
第４の発明は、再熱除湿運転中に遠隔制御装置により温度設定が低めに変更されてから、計時手段によって計時される時間が所定の時間以上経過した場合には、圧縮機の最大運転周波数を所定値に復帰させることで、省エネルギーでの運転を行うことができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機の再熱除湿時のフローチャートを示すものである。
【００１３】
図１のフローチャートに示すように、再熱除湿が開始されたのち（ＳＴ１）、遠隔制御装置により、設定温度がΔＴ下げられた場合（ＳＴ２）、圧縮機の最大運転周波数をΔＺ大きくする（ＳＴ３）。
【００１４】
引き上げられた最大運転周波数の範囲を使用して、圧縮機の運転周波数を制御する周波数制御手段により、圧縮機の運転を制御することで、顕熱能力を十分確保し、その結果、室温のコントロールを容易に行うことができる（ＳＴ５）。
【００１５】
（実施の形態２）
図２は、本発明の第２の実施の形態における空気調和機の再熱除湿時のフローチャートを示すものである。
【００１６】
図２のフローチャートに示すように、再熱除湿が開始されたのち（ＳＴ１）、遠隔制御装置により、設定温度がΔＴ下げられた場合（ＳＴ２）、外気温度を検出するための外気温度検出手段により外気温度を検出する（ＳＴ５）。
【００１７】
検出された外気温度があらかじめ決められたＴｏｕｔよりも大きい場合、圧縮機の最大運転周波数をΔＺ大きくする（ＳＴ６）。例えば、Ｔｏｕｔ＝３５℃とし、外気温度がそれ以上に高い場合には、最大周波数をΔＺ＝１０Ｈｚ引き上げる制御を行う。
【００１８】
引き上げられた最大運転周波数の範囲を使用して、圧縮機の運転周波数を制御する周波数制御手段により、圧縮機の運転を制御することで、顕熱能力を十分確保し、その結果、室温のコントロールを容易に行うことができる（ＳＴ７）。
【００１９】
（実施の形態３）
図３は、本発明の第３の実施の形態における空気調和機の再熱除湿時のフローチャートを示すものである。
【００２０】
図３のフローチャートに示すように、再熱除湿が開始されたのち（ＳＴ１）、遠隔制御装置により、設定温度がΔＴ下げられた場合（ＳＴ２）、室内空気の相対湿度を検知するための湿度検知手段により相対湿度を検出する（ＳＴ８）。
【００２１】
検出された相対湿度があらかじめ決められたＲＨ１よりも大きい場合、圧縮機の最大運
転周波数をΔＺ大きくする（ＳＴ９）。例えば、ＲＨ１＝７０％とし、相対湿度がそれ以上に高い場合には、最大周波数をΔＺ＝１０Ｈｚ引き上げる制御を行う。
【００２２】
引き上げられた最大運転周波数の範囲を使用して、圧縮機の運転周波数を制御する周波数制御手段により、圧縮機の運転を制御することで、顕熱能力を十分確保し、その結果、室温のコントロールを容易に行うことができる（ＳＴ１０）。
【００２３】
（実施の形態４）
図３のフローチャートに示すように、再熱除湿が開始されたのち（ＳＴ１）、遠隔制御装置により、設定温度がΔＴ下げられた場合（ＳＴ２）、室内空気の相対湿度を検知するための湿度検知手段により相対湿度を検出する（ＳＴ８）。
【００２４】
検出された相対湿度があらかじめ決められたＲＨ１よりも大きい場合、圧縮機の最大運転周波数をΔＺ大きくする（ＳＴ９）。引き上げられた最大運転周波数の範囲を使用して、圧縮機の運転周波数を制御する周波数制御手段により、圧縮機の運転を制御する（ＳＴ１０）。
【００２５】
その後、計時手段によって計時される時間が以上経過した場合（ＳＴ１１）、圧縮機の最大運転周波数をΔＺ小さくし、設定温度がΔＴ下げられる前の所定の最大周波数に復帰させる（ＳＴ１２）。復帰させた最大周波数で圧縮機を運転することで、再び省エネルギーでの運転を行うことができる。
【産業上の利用可能性】
【００２６】
以上のように、本発明にかかる空気調和機は、居住空間の快適性を向上させるので、室内、室外熱交換器、室内送風機、室外送風機を備えた機器に応用可能である。
【図面の簡単な説明】
【００２７】
【図１】本発明の実施の形態１における空気調和機の再熱除湿時のフローチャート
【図２】本発明の実施の形態２における空気調和機の再熱除湿時のフローチャート
【図３】本発明の実施の形態３における空気調和機の再熱除湿時のフローチャート
【符号の説明】
【００２８】
ＳＴ０１〜ＳＴ１３  フローチャート中のステップ
ΔＴ  変更温度
ΔＺ  最大周波数変化量
Ｔｏｕｔ  外気温度
ＲＨ１  相対湿度
Ｓ１  設定経過時間
【図１】
2009058173.tif 000003
【図２】
2009058173.tif 000004
【図３】
2009058173.tif 000005